(57)【要約】  節水コマ内部において隙間から噴き出す水流の流れが均質になるように制御し、形成される水流膜の形状を安定させることができる節水コマを提供する。水吐出管に装着して吐出する水量を抑制するための節水コマ１００において、内部に水流の通り道となる隙間１１１を備え、隙間１１１から下流側に打ち出された加速水流が膜状の水流膜となる水流膜形成部１１０と、水流膜の形成場所として水流管の途中に設けられ、水流膜の水流が流れ込んだ状態でも空気が充満された状態が保持される空気キャビティ１２０を備えている。水流膜形成部１１０の隙間１１１を形成する部材に少なくとも１つの小溝を刻みつけておき、隙間１１１を通る水流の流れを調整する小溝１１２などの水流膜ガイドを設けることにより、隙間１１１から打ち出されて形成される水流膜の形状を安定させる。
2012033127.tif 000002
【特許請求の範囲】
【請求項１】
水吐出管に装着して吐出する水量を抑制するための節水コマにおいて、
内部に水流の通り道となる隙間を備え、前記隙間から下流側に打ち出された加速水流が膜状の水流膜となる水流膜形成部と、
前記水流膜の形成場所として水流管の途中に設けられ、前記水流膜の水流が流れ込んだ状態でも空気が充満された状態が保持される空気キャビティを備え、
前記水流膜形成部の前記隙間を形成する部材に少なくとも１つの小溝を刻みつけ、前記隙間を通る水流の流れを調整する水流膜ガイドを設けることにより、前記隙間から打ち出されて形成される水流膜の形状を安定させることを特徴とする節水コマ。
【請求項２】
前記隙間の長さ方向に、前記水流膜ガイドとなる前記小溝を適度な間隔で複数個設けることにより、前記隙間から打ち出されて形成される水流膜が厚さに対して幅が十分に大きい薄い水流膜の場合でも、前記水流膜が前記隙間の長さ方向に欠損することなく安定した形状で形成する請求項１に記載の節水コマ。
【請求項３】
前記小溝が、前記隙間を形成する長さ方向に対向する部材のうち一方に対して設けられている請求項１または２に記載の節水コマ。
【請求項４】
前記小溝が、前記隙間を形成する長さ方向に対向する部材の両方に対して設けられている請求項１または２に記載の節水コマ。
【請求項５】
前記小溝が、前記隙間を形成する長さ方向に対向する２つの部材に交互に設けられている請求項４に記載の節水コマ。
【請求項６】
前記小溝が、前記隙間を形成する長さ方向に対向する２つの部材に対向し合うように設けられている請求項４に記載の節水コマ。
【請求項７】
前記隙間の幅を可変とする隙間幅可変機構を備え、前記水流膜の厚みを調整可能とすることを特徴とする請求項１乃至６のいずれか１項に記載の節水コマ。
【請求項８】
前記水流膜形成部において前記隙間が周回状の隙間であり、前記隙間から下流側に打ち出された加速水流が周回方向に連続した立体的な周回状の水流膜となるものであり、前記水流膜ガイドとなる前記小溝を前記周回状の隙間に略均等間隔に複数個設けたものである請求項１乃至７のいずれか１項に記載の節水コマ。
【請求項９】
前記空気キャビティに対して外気を導通する導通孔を持つ通気路と、
前記導通孔から前記空気キャビティ内に吹き込まれる空気を前記水流膜に対して巻き込ませることにより泡沫水を形成する泡沫水生成手段を備えた請求項１乃至８のいずれか１項に記載の節水コマ。
【請求項１０】
前記空気キャビティに形成された周回状の前記水流膜によって囲まれている密閉空間に対して外気を導通する導通孔を持つ通気路と、
前記導通孔から前記密閉空間内に吹き込まれる空気を前記周回水流膜に対して巻き込ませることにより泡沫水を形成する泡沫水生成手段を備え、
前記通気路が導通する前記密閉空間の気密性が維持された状態にて、前記周回水流膜の流れと前記空気の巻き込みで生じる気圧低下により、前記導通孔から前記空気を引き込んで前記泡沫水を生成できる請求項８に記載の節水コマ。
【請求項１１】
前記水流膜が形成する立体の下面を封止して前記密閉空間の気密性を高めつつ水流を下流側に流す周回水流膜密封体を備えた請求項１０に記載の節水コマ。
【請求項１２】
前記導通孔の幅を可変とし、前記導通孔より引き込む前記空気の速度を可変とする導通孔幅可変機構を備え、前記水流膜に対して巻き込む空気の速度を調整可能とすることを特徴とする請求項９乃至１１のいずれか１項に記載の泡沫水生成コマ。
【発明の詳細な説明】
【技術分野】
【０００１】
本発明は、例えば、水道の蛇口（一般用水道蛇口のみならず、実験室用の水道蛇口等の特殊用途のものも含む）や、シャワーヘッド等の水吐出管に装着して吐出する水量を抑制するための節水コマに関するものである。吐出する水量を抑制しつつ吐出する水を泡沫水とする泡沫水生成機能付きの節水コマにも応用可能である。
【背景技術】
【０００２】
従来から一般家庭や商業施設などにおいて節水が求められている。節水手段の一つとして、水道の蛇口等の水吐出菅に節水コマを装着する技術が知られている。従来技術における節水コマは、例えば、水道の蛇口等の水吐出菅の内部に円柱状の節水コマを内装して組み込み、その節水コマの存在により、水道の流量を強制的に絞り、蛇口の開栓量が大きい場合でも流水量を小さく抑えるものである。【０００３】
例えば、従来の節水コマとしては、筒状の給水管にあわせて基本形状を円柱状とし、流入側の上面から流出側の下面まで貫通する貫通孔を開けた構造のものが一般的である。このような節水コマを取付けると、水の流出は吐出管の口径より小さい口径の貫通孔を経由するため、水の流出量が制御されて節水効果をあげるものである。貫通孔の本数は中央に１つ設けたものもあれば、２つまたは３つ程度を適度に配置したものもある。【０００４】
例えば、特開平９−０９５９８５号公報に開示された節水コマでは、円柱状のコマ本体と、このコマ本体の水流入側端面から他方の水流出側端面に渡って形成された少なくとも３本の貫通孔とを有し、これらの貫通孔を、コマ本体の水流入側端面から水流出側端面に向けて相互の間隔が広がるように形成した構成となっている。また、コマ本体の水流入側の縁端には大径のフランジを一体形成しておき、水道蛇口等の内部に固定できるようになっており、３本の貫通孔はコマ本体の水流入側端面に形成され、貫通孔の流入口は同心円状に等角度間隔で配置し、貫通孔の流出口も同心円状に等角度間隔で位置する工夫などが開示されている。【０００５】
【特許文献１】特開平９−０９５９８５号公報
【特許文献２】特開２０００−１０４３００号公報
【発明の開示】
【発明が解決しようとする課題】
【０００６】
従来技術における特開平９−０９５９８５号公報に示すような節水コマには以下に示す問題があった。従来の節水コマでは、水吐出管の口径より小さい口径の貫通孔を経由するために、水の流出径は確かに小さくなるところ、水吐出管にかかる水圧によって小さい径の貫通孔から流出する水流は勢い良くなり、使用に支障が生じる程に強くなってしまうという問題があった。つまり、小さい径の貫通孔から激しく強い水流となってしまい、手をかざすと痛いくらいの激しい水流となってしまうおそれがあった。これは、単に、水吐出管の口径より小さい口径の貫通孔を経由する構造であれば発生してしまう問題である。
一般家庭の水道蛇口であれば、手洗いなどには不向きなほど強くなってしまう場合があり、実験室の水道蛇口であれば、実験器材などを洗うにも不向きなほど強くなってしまう場合があった。【０００７】
発明者高野雅彰は、節水コマの開発に取り組んでくる中、以下のことに気がついた。
一般の蛇口に取り付ける節水コマのタイプで節水率を上げるためには、節水コマ内において水吐出管の面積より小さい面積の貫通孔を用いることは必要であるが、節水コマ内における貫通孔の面積を小さくしつつも、貫通孔の形状を工夫すれば貫通孔から打ち出される水流の形を制御することは可能である。特に、貫通孔の形状をスリット状の隙間とし、貫通孔から打ち出される水を水流膜の形にすれば、節水コマの内部で様々な工夫を施して良質な節水コマを得ることができることに着想した。そこで、節水コマの内部で水流膜を形成し、水流膜の性質を利用した種々のタイプの節水コマや、水流膜に対して効率良く空気を包含させて泡沫水を生成することのできる泡沫水生成節水コマなどを研究してきた。
発明者高野雅彰が多様な研究を重ねる中、節水コマ内において水流の通り道となる隙間の形を工夫して、当該隙間から打ち出される水流を薄い水流膜として多様な機能を備えた節水コマを開発している。なお、当該技術は本特許出願の出願時点では未だ公開されていない発明者高野雅彰自身が所有する技術であり、既に特許出願がなされている。【０００８】
ここで、高節水率かつ高機能な節水コマを作るためには、節水コマの内部で形成する水流膜を薄いものとすることが好ましい。水流膜が薄くなる分、全体の水量を抑えることができる。【０００９】
節水コマは、複数点の金属部材を削り出し、それらをネジなどで組み合わせて製造するが、内部で大きな水圧を受けつつ水流膜を設計通りの形状、設計通りの薄さに制御するためには、金属部材の高い削り出し加工精度が求められ、加工に伴うコスト増大、加工時間増大を招き、歩留まりも低下する。特に、単に金属の内部にスリットの孔を削り出すのではなく、スリットの隙間の大きさを外部から調節できるように複数の金属部材の隙間によりスリットを形成する場合には、単に一つの金属部材の削り出し加工のみならず複数点の部品の組み合わせ精度にも関わることであり、極めて高い加工精度が求められることとなる。【００１０】
もし、必要とされる加工精度が得られない場合、複数の金属部材の隙間によりスリットを形成したとしても、水流を流して得られる水流膜は所望の形状・薄さとはならない問題が生じる。
例えば、水流膜が綺麗に展開した膜ではなく一部欠損したような歪んだ膜になったり、水流膜の厚さが偏って一部の部分から勢いよく流れ出すものの、残りの部分は弱い水流となり不均一な水流膜となったりする問題が生じる。【００１１】
図１は、隙間１１１のバランスが均等であり、想定している水流膜が流れる様子を示す図である。この例では図１（ｂ）に示すように、弧状の隙間から噴き出した水流が弧状の水流膜として形成されている。
一方、図２は、隙間１１１のバランスが崩れており、水流膜が想定した形では形成されず、一部が欠損した形状となってしまう問題を簡単に示した図である。図１（ｂ）に示すように、弧状の隙間の一部からは水流が出ず、その結果、一部が欠損した状態の水流膜となっている。
このように、水流膜が想定した形では形成されず、一部が欠損した形状となってしまうと、節水コマにおいて設計した通りの種々の機能を正常に発揮させることができない。【００１２】
上記のように、節水コマ内部で薄い水流膜を所望の形状・薄さに制御するためには、極めて高い加工精度が求められるが、スリットの形成に、複数の金属部材をネジなどで組み合わせる要因が影響する場合、ネジ加工による限界があることも分かってきた。ネジは一方の金属を削り出して製造した雄ネジと他方の金属を削り出して製造した雌ネジを螺合するが、金属部材同士を螺合するためにはいわゆるあそびのマージンが必要である。節水コマ内部で薄い水流膜を制御するために必要とされる加工精度がネジに必要なあそびのマージンよりも高い精度となってしまい、スリットの形成に複数の金属部材をネジなどで組み合わせる要因が影響する以上、加工精度を上げることには限界があり、その結果、水流膜が綺麗に展開した膜ではなく一部欠損したような歪んだ膜になるなどの不具合が生じるものが多くなり、歩留まりが低下してしまう問題が生じていた。【００１３】
そこで、簡便な方法により、隙間から噴き出す水流の流れを制御し、形成される水流膜の形状を安定させるという技術が必要となってくる。発明者高野雅彰は、複数の金属部材をネジにより組み合わせて節水コマ内部でスリットを形成し、当該スリットから水流膜を節水コマ内部で打ち出す機能を付与しつつ、如何に加工の歩留まりを上げるかという問題に取り組み、新しい節水コマの開発を行ってきた。【００１４】
上記問題点に鑑み、本発明は、節水コマ内部において隙間から噴き出す水流の流れが均質になるように制御し、形成される水流膜の形状を安定させることができる節水コマを提供することを目的とする。また、上記目的を達成しつつ、さらに泡沫水を生成する機能を付与した泡沫水生成機能付き節水コマを提供することを目的とする。
【課題を解決するための手段】
【００１５】
上記本発明の第１の目的を達成するため、本発明にかかる節水コマは、水吐出管に装着して吐出する水量を抑制するための節水コマにおいて、内部に水流の通り道となる隙間を備え、前記隙間から下流側に打ち出された加速水流が膜状の水流膜となる水流膜形成部と、前記水流膜の形成場所として水流管の途中に設けられ、前記水流膜の水流が流れ込んだ状態でも空気が充満された状態が保持される空気キャビティを備え、前記水流膜形成部の前記隙間を形成する部材に少なくとも１つの小溝を刻みつけ、前記隙間を通る水流の流れを調整する水流膜ガイドを設けることにより、前記隙間から打ち出されて形成される水流膜の形状を安定させることを特徴とする節水コマである。【００１６】
例えば、前記隙間の長さ方向（スリットの長さ方向）に、前記水流膜ガイドとなる前記小溝を適度な間隔で複数個設けることにより、前記隙間から打ち出されて形成される水流膜が厚さに対して幅が十分に大きい薄い水流膜の場合でも、前記水流膜が前記隙間の長さ方向に欠損することなく安定した形状となるものとすることができる。【００１７】
また、例えば、前記水流膜形成部において前記隙間が周回状の隙間であり、前記隙間から下流側に打ち出された加速水流が周回方向に連続した立体的な周回状の水流膜となるものにも適用でき、その場合、水流膜ガイドとなる前記小溝を前記周回状の隙間に略均等間隔に複数個設けたものとすることができる。【００１８】
発明者高野雅彰が研究を重ねる中、隙間において小溝を設けることにより、局所的に当該部分の隙間幅が太く流れやすい箇所ができ、当該箇所をきっかけとしてその周辺では流れが途切れることがなくなる。このような小溝を狭い隙間に適度な間隔で設けておくことにより、結果としてどの部分にも欠損ができず、安定して均一な水流膜を形成することができる。なお、小溝は小さなもので良いので、形成される水流膜自体に厚さにムラができることもない。【００１９】
なお、水流の通り道となる隙間に小溝を設けるパターンとして多様なものが可能である。
例えば、前記小溝が、前記隙間を形成する長さ方向に対向する部材のうち一方に対して設けるパターンがある。
また、例えば、前記小溝が、前記隙間を形成する長さ方向に対向する部材の両方に対して設けるパターンがある。
また、例えば、前記小溝が、前記隙間を形成する長さ方向に対向する２つの部材に交互に設けるパターンがある。
また、例えば、前記小溝が、前記隙間を形成する長さ方向に対向する２つの部材に対向し合うように設けるパターンがある。【００２０】
なお、隙間についても水流量の調整機能を設けておくことができる。つまり、前記隙間の幅を可変とする隙間幅可変機構を備えたものとすれば、前記水流膜の厚みを調整可能となる。【００２１】
次に、本発明の節水コマにおいて泡沫水を生成する機能を付与する構成とすることも可能である。
上記構成の本発明の節水コマにおいて、前記空気キャビティに対して外気を導通する導通孔を持つ通気路と、前記導通孔から前記空気キャビティ内に吹き込まれる空気を前記水流膜に対して巻き込ませることにより泡沫水を形成する泡沫水生成手段を備えた節水コマとすることができる。【００２２】
また、細かい気泡が多量に包含された良質な泡沫水を得るため、上記した構成のうち、前記水流膜形成部において前記隙間が周回状の隙間であり、前記隙間から下流側に打ち出された加速水流が周回方向に連続した立体的な周回状の水流膜となる構成において、さらに、前記空気キャビティに形成された周回状の前記水流膜によって囲まれている密閉空間に対して外気を導通する導通孔を持つ通気路と、前記導通孔から前記密閉空間内に吹き込まれる空気を前記周回水流膜に対して巻き込ませることにより泡沫水を形成する泡沫水生成手段を備えたものである。この構成であれば、前記通気路が導通する前記密閉空間の気密性が維持された状態にて、前記周回水流膜の流れと前記空気の巻き込みで生じる気圧低下により、前記導通孔から前記空気を引き込んで細かい気泡が多量に包含された良質な泡沫水を得ることができる。【００２３】
また、前記導通孔の幅を可変とし、前記導通孔より引き込む前記空気の速度を可変とする導通孔幅可変機構を備える構成も好ましい。前記水流膜に対して巻き込む空気の速度を調整可能とすることができる。
このように、本発明の節水コマにおいて泡沫水を生成する機能を付与する構成とすることも可能である。
【発明の効果】
【００２４】
本発明の泡沫水生成コマによれば、複数の金属部材をネジにより組み合わせて節水コマ内部に流通孔を形成し、当該流通孔から水流膜を節水コマ内部で打ち出す機能を付与しつつ、流通孔の壁面に小溝を隙間に適度な間隔で設けておくことにより水流を制御することができ、節水コマ内部において隙間から噴き出す水流の流れが均質になるように制御し、形成される水流膜の形状を安定させることができる。
【図面の簡単な説明】
【００２５】
【図１】隙間１１１のバランスが均等で想定している水流膜２００が流れる様子を示す図である。
【図２】隙間１１１のバランスが崩れており水流膜２００の一部が欠損している場合を説明する図である。
【図３】小溝１１２を設けることにより隙間１１１から打ち出されて形成される水流膜の形状を安定させる機能を付与した様子を示す図である。
【図４】小溝１１２付近を拡大した図であり、小溝１１２をきっかけとして水流膜２００が形成されやすくなる様子を示す図である。
【図５】小溝１１２の設け方の代表的なパターンを示す図である。
【図６】隙間の幅を可変とする隙間幅可変機構の概念を簡単に説明する図である。
【図７】実施例２にかかる本発明の泡沫水生成コマ１００ｃの一構成例を示す図である。
【図８】部材１０１ｃ、部材１０２ｃ、部材１０３ｃの３つの部材に分解して示した図である。
【図９】３つの部材１０１ｃ、部材１０２ｃ、部材１０３ｃを組み上げる手順を示した図である。
【図１０】部材１０１ｃと部材１０２ｃを組み上げた状態の上端面（周回水流膜形成部１１０ｃ）と下端面（通気路１４０、泡沫水流出部１５０）を示した図である。
【図１１】泡沫水生成コマ１００ｃに水を流し、形成される周回水流膜２００ｃに対して内面側から空気を巻き込ませて泡沫水が形成される仕組みを示した図である。
【図１２】隙間１１１に周回状に小溝１１２が介在する場合に、周回水流膜２００が欠損することなく打ち出される様子を示す図である。
【符号の説明】
【００２６】
１００  泡沫水生成コマ
１０１  部材
１０２  部材
１０３  部材
１１０  周回水流膜形成部
１１１  隙間
１１３  内側空間
１１４  外側空間
１２０  空気キャビティ
１３０  周回水流膜形成部密封体
１４０  通気路
１４１  導通孔
１５０  泡沫水流出部
１６０  アタッチメント部
１６１  水キャビティ
２００  周回水流膜
３００  水吐出管
【発明を実施するための最良の形態】
【００２７】
本発明の節水コマの実施例を説明する。ただし、本発明の範囲は以下の実施例に示した具体的な用途、形状、個数などには限定されないことは言うまでもない。
【実施例１】
【００２８】
以下、実施例１は、本発明の節水コマ１００の基本構成例である。分かりやすく説明するため、一例として形成される水流膜が弧状に連続した水流膜としたが、形成される水流膜の形状は弧状に連続したものに限定されるものではない。
また、以下に図示した部材は、例えば、ステンレス鋼、真鍮、アルミニウム、チタン合金、マグネシウム合金などの金属部材、セラミック素材、特殊樹脂素材など切削加工が可能な部材で節水コマ部材としての強度があるものであれば良いが、ここでは一例としてステンレス鋼とする。【００２９】
本発明の節水コマにおいて、小溝１１２を設けることにより水流の流れを制御する原理を図１から図３を用いて説明する。図１と図２の例では小溝１１２は設けられておらず、図３の例では小溝１１２が設けられている例となっている。
図１から図３は、上流から流れ込んでくる水流を絞って下流に流す節水コマ本体部分の一部を概念的に取り出した図であるが、説明を簡単するため、形成される水流膜２００は単なる弧状に連続した一枚の水流膜２００の例となっている。【００３０】
水流膜形成部１１０は、上側の部材１０１ａと下側の部材１０１ｂを備え、部材１０１ａと部材１０１ｂがネジにより接合されているものとする。
図１から図３に示すように、上側の部材１０１ａと下側の部材１０１ｂとの隙間が水流の通り道となる隙間１１１となっている。この隙間１１１の形状がいわゆるスリット状の細いものであり、この隙間１１１を通過することにより水流は絞られて加速水流膜として下流側に打ち出される。
今、図１（ａ）の例では、上側の部材１０１ａと下側の部材１０１ｂとのネジの接合によるバランスの崩れなどがない様子を示しており、小溝１１２を設ける工夫を施していなくても、図１（ｂ）に示すように、隙間１１１の全体から均質に水流膜２００が打ち出されている。隙間１１２から打ち出されて形成される水流膜が厚さに対して幅が十分に大きい薄い水流膜の場合でも、水流膜が隙間の長さ方向に欠損することなく安定した形状で形成されている。【００３１】
空気キャビティ１２０は、水流膜形成部１１０から打ち出された水流膜２００の形成場所として水流管の途中に設けられた空間であり、水流膜２００の水流が流れ込んだ状態でも空気が充満された状態が保持される空気キャビティとなっている。図１では説明を簡単にするため、オープンな状態の開空間として描かれているが、実際の節水コマ１００の内部では壁面などに囲まれた閉空間である。【００３２】
次に、図２は上側の部材１０１ａと下側の部材１０１ｂとのネジの接合によるバランスの崩れなどが生じ、水流の流れが悪く水流膜の一部が欠損している場合の例を簡単に示す図である。図２に示すように、実際には隙間１１１ａが形成されているにもかかわらず、微妙な金属部品同士の偏りなどで、水流が欠損している部分の隙間１１１ａに隣接する他の隙間１１１ｂが広くなり、その隙間１１１ｂから水流が流れるものの、当該隙間１１１ａは狭くなっているために当該隙間１１１ａから水流が流れなくなってしまう現象が起きている。つまり、隙間１１１のバランスが崩れていることにより水流膜の一部が欠損するという現象が生じている。【００３３】
次に、図３は、水流膜形成部１１０の隙間１１１を形成する部材に小溝１１２を刻み付けることにより水流膜ガイドを設け、隙間１１１から打ち出されて形成される水流膜の形状を安定させる機能を付与した様子を示す図である。図３（ａ）の例では、隙間１１１の長さ方向に、小溝１１２を適度な間隔で複数個（図中では３個）設けられている。
小溝１１２は、隙間１１１を通る水流の流れを調整する水流膜ガイドとなり、隙間１１１から打ち出されて形成される水流膜の形状を安定させる機能を発揮する。【００３４】
図４は、小溝１１２付近を拡大した図であり、小溝１１２をきっかけとして水流膜２００が形成されやすくなる様子を示す図である。
図４（ａ）には、小溝１１２の部分を拡大した拡大図が示されているが、拡大図に示すように、隙間１１１ａを形成する部材に小溝１１２が設けられている。この小溝１１２は周囲に比べて僅かであるが隙間の深さが深いため水流が通りやすくなっている。【００３５】
いま、図４（ａ）に示すように、部材１０１ａと部材１０１ｂをネジ移動させた際に相対的な姿勢のバランスが崩れ、一時的にある隙間１１１ａの部分が狭く、水流膜が途切れやすい現象が誘引される条件が生じたとしても、水流を流すと、図４（ｂ）に示すように、小溝１１２をきっかけとして常に水流膜が噴き出すポイントが得られ、不意に水流膜２００が欠損してしまう箇所が生じることがない。このように水流を噴き出すポイントが得られれば、図４（ｃ）に示すように、噴き出す水流の水圧などによりその周辺の隙間１１１からも水流膜が打ち出されるようになる。一度隙間１１１ａに水流が流れ始めるとその水流の水圧などにより隙間１１１ａが適度に広がり隙間１１１に生じていた偏りや歪みが解消され、均等にバランスが取れた状態となり、隙間１１１全体から安定して水流膜が流れ始める。このように小溝１１２が適切な間隔で設けられておれば、水流膜２００が隙間１１１の長さ方向に欠損することなく安定した形状で形成される。【００３６】
つまり、図３（ａ）のように、小溝１１２が適切な間隔で設けられておれば、たとえ部材１０１ａと部材１０１ｂをネジ移動させた際に相対的な姿勢のバランスが崩れていても、図３（ｂ）に示すように、水流膜形成部１１０の隙間１１１を形成する部材に少なくとも１つの小溝１１２を刻みつけることにより、隙間１１１のバランスが崩れていることにより水流膜の一部が欠損するという現象が解消でき、隙間１１１から打ち出されて形成される水流膜の形状を安定させることができる。【００３７】
次に、小溝１１２を設けるパターンについて説明する。
スリットとなる隙間１１１の長さは長いものも想定される。例えば、小さな節水コマ１００の内部であるものの、スリットとなる隙間１１１を周回状のものなどにするとそれなりの長さがある。そこで、隙間１１１の長さ方向に水流膜ガイドとなる小溝１１２を適度な間隔で複数個設ける工夫が可能である。長い隙間１１１に対して複数の小溝１１２ａ，１１２ｂ，１１２ｃを適度な間隔で複数個設ければ、これら小溝１１２ａ，１１２ｂ，１１２ｃの各点がガイドとなり、それらの箇所で水流膜が流れるきっかけとなり、常にその周辺の隙間１１１に正常な水流膜が形成されるが、小溝１１２ａ，１１２ｂ，１１２ｃの間隔が適切であると、小溝１１２ａ，１１２ｂ，１１２ｃの各点を中心とした水流膜がつながり合い、その結果、常に隙間１１１全体から正常な水流膜が形成され、水流膜２００が隙間１１１の長さ方向に欠損することなく安定した形状で得られる。【００３８】
小溝１１２の設け方には複数のパターンがある。図５は、小溝１１２の設け方の代表的なパターンを示す図である。なお、小溝１１２の設け方はこの図５のパターンに限定されず、隙間１１１に介在するパターンとしては多様な設け方がある。【００３９】
第１のパターンは、隙間１１１を形成する部材１０１ａと部材１０１ｂのうち一方の部材に対して小溝１１２が設けられているパターンである。図５（ａ）は、この第１のパターンにて部材１０１ａ側に３つの小溝１１２ａ，１１２ｂ，１１２ｃを設けた例を示す図である。図５（ａ）に示すように、部材１０１ａのみに３つの小溝１１２ａ，１１２ｂ，１１２ｃが均等間隔で設けられ、部材１０１ｂには小溝１１２は設けられていない。【００４０】
第２のパターンは、隙間１１１を形成する部材１０１ａと部材１０１ｂの両方の部材に対して小溝１１２が設けられており、特に、小溝１１２が２つの部材に交互に設けられているパターンである。図５（ｂ）は、この第２のパターンにて部材１０１ａと部材１０１ｂに対して交互に小溝１１２ａ，１１２ｂ，１１２ｃが設けられた例である。図５（ｂ）に示すように、小溝１１２ａが部材１０１ａに設けられ、小溝１１２ｂが部材１０１ｂに設けられ，小溝１１２ｃが部材１０１ａに設けられ、それぞれが均等間隔で設けられている。【００４１】
第３のパターンは、隙間１１１を形成する部材１０１ａと部材１０１ｂの両方の部材に対して小溝１１２が設けられており、特に、小溝１１２が２つの部材１０１ａと部材１０１ｂの両方に対向し合うように設けられているパターンである。図５（ｃ）は、この第２のパターンにて部材１０１ａと部材１０１ｂの両方に対して対向するように小溝１１２が設けられた様子を示す図である。図５（ｃ）に示すように、小溝１１２ａ、小溝１１２ｂ、小溝１１２ｃが部材１０１ａに設けられ、小溝１１２ｄ、小溝１１２ｅ、小溝１１２ｆが部材１０１ｂに設けられ、それぞれが対向するように均等間隔で設けられている。
上記のように、部材１０１ａと部材１０１ｂに小溝１１２を設けるパターンは様々あるが、その選択は、節水コマ１００の内部の構造や機能、また、取り付ける蛇口の水圧などを考慮して決めれば良い。【００４２】
次に、隙間幅可変機構の工夫に付いて述べる。
水流膜形成部１１０は、隙間１１１を備えることにより、下流の空気キャビティ１２０に対して水流膜２００を形成するが、節水コマ１００の内部に形成される水流膜２００の厚さを外部から調整できることが好ましい。利用者が水道利用の目的に応じて節水コマ１００の節水効率を上げたり下げたりする要求がある場合、この水流膜の厚さを変えることにより下流側に流す水流量を調整できるからである。また、水道の水圧が何らかの事情で変化した場合、節水コマ１００の内部に形成される水流膜２００の厚さを外部から調整できれば、水道の水圧の変動分を調整することができる。【００４３】
図６は、隙間の幅を可変とする隙間幅可変機構の概念を簡単に説明する図である。
図６（ａ）に示すように、この例では部材１０１ａと部材１０１ｂが相互に相対的に移動するものとなっている。例えば、部材１０１ａが部材１０１ｂに対して移動できる隙間幅可変機構（図示せず）を備え、図中上下できるものとする。
図６（ｂ）に示す状態では、隙間幅可変機構により部材１０１ａを上に移動させて部材１０１ａと部材１０１ｂの間の隙間１１１を大きくした状態である。部材１０１ａと部材１０１ｂの間の隙間１１１において水流膜２００が打ち出されているが、隙間幅がより広くなったために水流膜２００の速度は遅くなり、噴き出し方が弱くなる。【００４４】
次に、図６（ｃ）に示す状態では、隙間幅可変機構により部材１０１ａを下に移動させて部材１０１ａと部材１０１ｂの間の隙間１１１を狭くした状態である。図６（ｂ）の状態における部材１０１ａと部材１０１ｂの間の隙間１１１に比べて、図６（ｃ）の状態は部材１０１ａが下に移動して部材１０１ａと部材１０１ｂの間の隙間１１１が小さくなっている。隙間幅がより狭くなったために水流膜２００の速度は速くなり、噴き出し方が強くなる。【００４５】
以上、本実施例１の節水コマ１００では、小溝１１２が適切な間隔で設ける工夫を施しているために以下の利益が得られる。つまり、ネジのマージンなどにより部材１０１ａと部材１０１ｂの相対的な姿勢のバランスが崩れ、一時的にある部分が狭く、他の部分が広くなった場合、広い部分から水流膜が打ち出され、狭い部分では水流膜が途切れるという現象が誘引される条件が生じたとしても、隙間を形成する部材に小溝１１２が適切な間隔で設けられているので、適切な間隔で常に水流膜が噴き出すきっかけが得られ、不意に水流膜２００が欠損してしまう箇所が生じることがない。
【実施例２】
【００４６】
実施例２は、水流膜の長さを大きくし、節水コマの内部で周回状となっている場合について、小溝を設けて節水コマ内部の水流の流れを制御する原理を適用した例である。
ここでは、水流膜形成部は、周回水流膜形成部となっており、周回水流膜形成部が形成する隙間は周回状となっており、上流からの水流を受けて下流側のキャビティ空間内に周回方向に連続した立体的な周回水流膜を形成する例である。
なお、実施例１に示したように、２つの金属片の対向し合う部分に対して小溝１１２を設けるパターンは複数パターンがあるが、ここでは、一例として一方の金属片、例えば、下側の金属片に小溝１１２を設けるパターンを例として説明する。【００４７】
本実施例２の泡沫水生成コマ１００ｃは、周回水流膜形成部１１０ｃ、空気キャビティ１２０、周回水流膜密封体１３０、通気路１４０、アタッチメント部１６０、泡沫水流出部１５０を備えたものである。【００４８】
以下、まず、泡沫水生成コマ１００ｃの構成部品とその組み上げについて説明し、その次に、小溝１１２を設けることにより、水吐出管から泡沫水生成コマ１００ｃに水を流して形成される周回水流膜２００ｃが欠損することなく、周回状の水流膜となることを説明する。【００４９】
図７は実施例２にかかる本発明の泡沫水生成コマ１００ｃの一構成例を示す図である。
図７に示した構成例は、部材１０１ｃ、部材１０２ｃ、部材１０３ｃの３つの部材から構成された例となっている。図８は、部材１０１ｃ、部材１０２ｃ、部材１０３ｃの３つの部材に分解して示した図である。図９は、３つの部材１０１ｃ、部材１０２ｃ、部材１０３ｃを組み上げる手順を示した図である。図１０は、部材１０１ｃと部材１０２ｃを組み上げた状態の上端面（周回水流膜形成部１１０ｃ）と下端面（通気路１４０、泡沫水流出部１５０）を示した図である。図１１は、図７に示した構成において、水吐出管から本発明の泡沫水生成コマ１００ｃに水を流し、形成される周回水流膜２００ｃに対して内面側から空気を巻き込ませることにより泡沫水が形成される仕組みを示した図である。図１２は、部材１０１ｃと部材１０２ｃにより形成される隙間１１１に周回状に小溝１１２が介在する場合に、周回水流膜２００が欠損することなく打ち出される様子を示す図である。
なお、図７、図８、図９、図１１は、内部の構造が分かりやすいように縦断面として示している。【００５０】
また、図７、図８、図９、図１１の図示において、泡沫水生成コマ１００ｃは縦軸を中心とした回転体となっているが、導通孔１４１は回転体ではなく、後述する周回水流膜２００ｃの内側の密封空間に導通するように通気路１４０の壁面に複数個開けられた孔となっている。また、泡沫水流出部１５０は後述する周回水流膜２００ｃの水流が流れ出るため底面部分に複数個設けられた孔となっている。【００５１】
部材１０１ｃは、図８（ａ）に示すように回転体であり、図示のような縦断面を持つ筒状の部材である。上部筒体１０１１、鍔状体１０１２、中部筒体１０１３、下部筒体１０１４が設けられており、下部筒体１０１４の内周には雌ネジが設けられている。
この例では、部品点数を減らすために、部材１０１ｃに対して、後述する周回水流膜形成部１１０ｃや空気キャビティ１２０の構成の一部を担う構造物を一体化して形成した構造例となっている。【００５２】
部材１０２ｃは、図８（ｂ）に示すように、上部に円板体１０２１が設けられており、その下方には筒状体１０２２が設けられている。この構成例では円板体１０２１は略円錐台形となっており、側壁面は外側に緩やかに開いた傘状となっている。
筒状体１０２２の内面は通気路１４０となっており、筒状体１０２２の壁面には複数の孔が設けられており、この孔が導通孔１４１となっている。また、筒状体１０２２の外壁面には傘状に開いた傘状体１０２３が設けられており、この傘状体１０２３が周回水流膜密封体１３０である。さらに、筒状体１０２２の底部付近には円板１０２４が設けられている。筒状体１０２２と円板１０２４は後述する図８（ｂ）に示すように、放射状の橋梁により接続されている。円板１０２４に開けられている孔が泡沫水流出部１５０となっている。また、円板１０２４の外周には雄ネジが設けられている。
この例では、部品点数を減らすために、部材１０２ｃに対して、後述する周回水流膜形成部１１０ｃや空気キャビティ１２０や周回水流膜密封体１３０や通気路１４０の構成の一部を担う構造物を一体化して形成した構造例となっている。【００５３】
なお、この構成例では、図７（ｂ）に示すように、部材１０２ｃの上部の円板体１０２１の側壁面には、複数個の小溝１１２が設けられている。この構成例では、周回状に８個設けられている例となっている。この小溝１１２は実施例１で説明した小溝１１２と同様のものである。【００５４】
部材１０３ｃは、図８（ｃ）に示すように回転体であり、図示のような縦断面を持つ筒状の部材である。筒状体１０３１とその底面には中空円板体１０３２が設けられている。筒状体１０３１の内壁面には雌ネジが設けられており、これが水吐出管の外周に取り付けるアタッチメント部１６０となる。また、部材１０３の中空円板体１０３２は、部材１０１ｃの鍔状体１０１２を係止する構造物となる。【００５５】
これらの部材１０１ｃ、部材１０２ｃ、部材１０３ｃの組み上げは、まず、図９（ａ）に示すように、部材１０１ｃの内部に部材１０２ｃを挿入し、部材１０１ｃの下部筒体１０１４の内周の雌ネジに対して、部材１０２ｃの円板１０２４の外周の雄ネジを螺合して取り付ける。【００５６】
図１０は部材１０１ｃと部材１０２ｃを取り付けた状態の上端面と下端面を示している。
部材１０１ｃに対して部材１０２ｃを螺合して取り付けた状態において、上端面では、図１０（ａ）に示すように、部材１０１ｃの上部筒体１０１１と部材１０２ｃの円板体１０２１により周回水流膜形成部１１０ｃが形成される。部材１０１ｃの上部筒体１０１１の内周と部材１０２ｃの円板体１０２１の外周との間には隙間１１１ｃが開くように径が調整されている。当該隙間１１１ｃが泡沫水生成コマ１００ｃ内の水流路の一部となっている。【００５７】
ここで、部材１０２ｃの円板体１０２１には小溝１１２ｃが適切な間隔で設けられているので、部材１０１ｃの上部筒体１０１１と部材１０２ｃの円板体１０２１が対向して形成された周回水流膜形成部１１０ｃには、小溝１１２が介在している。この例では、周回状に８カ所に小溝１１２が介在している。【００５８】
また、部材１０１ｃと部材１０２ｃを螺合して取り付けた状態において、下端面では、図１０（ｂ）に示すように、部材１０２ｃの円板１０２４に開けられている孔として泡沫水流出部１５０が形成され、部材１０１ｃの中部筒体１０１３の内周に通気路１４０が形成されている。【００５９】
次に、部材１０１ｃと部材１０２ｃを取り付けた状態で、部材１０３ｃの中空円板体１０３２に対して、部材１０１ｃの鍔状体１０１２を係止させて本発明の泡沫水生成コマ１００ｃを組み上げる。つまり、部材１０３ｃに対して部材１０１ｃと部材１０２ｃが吊り下がった状態となる。
このように組み上げた本発明の泡沫水生成コマ１００ｃを水吐出管に取り付けることにより、図７の状態を得る。【００６０】
次に、水吐出管から泡沫水生成コマ１００ｃに水を流して形成される周回水流膜２００ｃが小溝１１２ｃの働きにより欠損することなく、周回状の水流膜となり、さらに泡沫水が形成されることを説明する。
隙間１１１ｃは、部材１０１ｃの上部筒体１０１１の内周と部材１０２ｃの円板体１０２１の外周との間に形成されているが、部材１０１ｃと部材１０２ｃとの組み上げにおいて、部材１０１ｃの下部筒体１０１４の内周の雌ネジと部材１０２ｃの円板１０２４の外周の雄ネジとの螺合により取り付けられているため、ネジのあそびなどのマージンが存在し、部材１０１ｃの上部筒体１０１１の姿勢と、部材１０２ｃの円板体１０２１の姿勢は、微視的に見ればバランスが完全には均一ではない。そのため、部材１０１ｃの上部筒体１０１１の内周と部材１０２ｃの円板体１０２１の外周との隙間に歪みが生じ、ある部分の隙間は広いが他の部分の隙間は狭いというバランスの崩れが存在することがある。【００６１】
周回水流膜形成部１１０ｃは、内部に水流の通り道となる隙間１１１ｃを備え、上流からの水流を受けて隙間１１１ｃから加速水流を打ち出し、下流側のキャビティ空間内に周回方向に連続した立体的な周回水流膜２００ｃを形成する。
この隙間１１１の内壁形状により打ち出される加速水流の方向が決まり、加速水流が形成する周回水流膜２００ｃの形状が決まる。【００６２】
ここで、上記のように、部材１０１ｃの上部筒体１０１１の内周と部材１０２ｃの円板体１０２１の外周との隙間に歪みが生じていると、広い隙間の部分からは水流膜が勢いよく流れ出しやすく、狭い隙間の部分からは水流膜が流れにくい。もし、小溝１１２がない場合、図１２（ａ）に示すように、広い隙間の部分から水流膜が形成されるだけで、狭い隙間の部分からは水流膜が流れ出さず、欠損してしまう場合も起こり得る。【００６３】
しかし、本実施例２では、図７（ｂ）や図１０（ａ）に示したように、周回水流膜形成部１１０ｃの隙間１１１ｃを形成する部材１０２ｃの円板体１０２１には周回状に均等に小溝１１２が８カ所形成されており、いずれの箇所においても水流膜が流れ出すきっかけとなる小溝１１２が介在していることとなる。そのため、図１２（ｂ）に示すように、狭い隙間の部分からも水流膜が流れ出し、水流膜が欠損することなく、周回水流膜２００ｃが正常に形成される。また、流れ出した水流膜の圧力が狭い隙間を押し広げる方向にも働き、部材１０１ｃの雌ネジと部材１０２ｃの雄ネジにあるネジのあそびなどのマージンに起因するバランスのずれが解消され、その後、安定して周回水流膜２００ｃが正常に形成されるという効果も得られる。【００６４】
周回水流膜形成部１１０の隙間１１１ｃに水流が流されると周回水流膜２００ｃが形成されるが、周回水流膜２００ｃは周回方向に連続した立体的な水流膜となり、水流膜により周回水流膜２００ｃの内側空間と外側空間が隔てられ、この周回水流膜２００ｃには周回方向には切れ目がなく、その内側空間は気密性が維持された密閉空間となる。図９に示した構成例では、図１１に示すように、形成される周回水流膜２００ｃの形状は略円錐台側面形となる。【００６５】
なお、周回水流膜形成部１１０ｃによって節水効果も得られる。水キャビティ１６１の径よりも隙間１１１ｃの幅が小さいものであれば、隙間１１１ｃにおいて吐出される水量が絞られる結果、節水効果が得られることとなる。なお、本発明の泡沫水生成コマ１００ｃでは、水流中に多量の空気を巻き込んで空気含有量の大きな泡沫水を形成することにより、実際の水量に対して、本発明の泡沫水生成コマ１００ｃから吐出される水の見た目の体積が大きくなり、利用者の水使用感を落とすことがない。【００６６】
以上のように、本実施例２の節水コマ１００ｃでは、小溝１１２を設けることにより、部材の組み上げ時にネジのあそびなどのマージンに起因するバランスのずれが生じても水流膜が一部欠損するような事態は解消され、その後、安定して周回水流膜２００ｃが正常に形成されるという効果が得られる。【００６７】
次に、本実施例２の節水コマ１００ｃでは、周回水流膜２００ｃが形成された後、泡沫水が形成されることを説明する。
泡沫水生成コマ１００内における泡沫水生成手段は、周回水流膜２００ｃの水流の流れにより密閉空間１１３内の気圧を下げて導通孔１４１から密閉空間１１３内に吹き込まれる空気を周回水流膜２００ｃに対して内面側から巻き込ませることにより泡沫水を生成する手段である。この泡沫水生成手段によって泡沫水が生成される仕組みについて説明する。【００６８】
図１１（ａ）は、図７に示した泡沫水生成コマ１００ｃに対して水吐出管３００から水流を流した状態を示す図である。図７と同様、内部の水流の状態が分かりやすいように縦断面にて示している。水流の流れ、空気の流れ、形成される泡沫水を模式的に示している。
水吐出管３００ｃから水キャビティ１６１に吐出された水は、周回水流膜形成部１１０ｃの上面に受けられるが、水圧によって隙間１１１ｃから下方へ導かれて行く。【００６９】
水吐出管３００から水キャビティ１６１に吐出された水は、周回水流膜形成部１１０ｃの上面に受けられるが、水圧によって隙間１１１ｃから下方へ導かれ、図１１（ｂ）に示すように、周回方向に切れ目のない連続した略円錐台側面状の立体的な周回水流膜２００ｃとなる。【００７０】
周回水流膜２００ｃは周回方向に切れ目なく連続しているため、図１１（ａ）および図１１（ｂ）に示すように、空気キャビティ１２０内において、周回水流膜２００ｃの内側空間１１３と外側空間１１４とは水流膜により遮断される。この構成例では周回水流膜２００ｃの外側空間１１４は、周回水流膜２００ｃと壁面１０１３により囲まれ、気密性が維持された密閉空間となる。【００７１】
ここで、空気キャビティ１２０は、周回水流膜２００ｃの形成場所として水流管の途中に設けられた空気が充満した空間である。周回水流膜２００ｃの水流が流れ込んだ状態でも空気が充満された状態が保持される空間となっている。この構成例では、空気キャビティ１２０は、部材１０１ｃの壁面１０１３と部材１０２ｃの壁面１０２２により囲まれた空間である。空気キャビティ１２０内には、形成される周回水流膜の２００ｃの内側に位置する箇所に後述する通気路１４０の導通孔１４１が設けられており、外気より空気が供給される構造となっている。通気路１４０は、周回水流膜２００内の密閉空間内と外気とを導通する通気路であり、周回水流膜２００内の密閉空間内に導通孔１４１が位置するように設けられている。この構成例では、部材１０２の筒状体１０２２の中空部分が通気路１４０となっており、筒状体１０２２の壁面に開けられた複数の孔が導通孔１４１となっている。【００７２】
このように、周回水流膜２００ｃの外側空間１１４は気密性が維持され、かつ、空気で充満された密閉空間となっている。なお、周回水流膜２００ｃの内側空間１１３も空気で充満された状態となっている。【００７３】
隙間１１１ｃから打ち出された周回水流膜２００ｃに対して空気が巻き込まれて行く原理は以下のようである。
この構成例では、図１１（ａ）および図１１（ｂ）に示すように、周回水流膜２００ｃが外側に向かって拡がって打ち出されるが、その先方に壁面１０１３があり、略円錐台側面形の周回水流膜２００ｃの水流がこの壁面１０１３に当接すると水流の向きが下側方向に曲げられるように変化している。ここでは、このように周回水流膜２００ｃの水流が当接する部材を周回水流膜当接体１３０ｃと呼ぶ。つまり、この周回水流膜２００ｃの水流が周回水流膜当接体１３０ｃに当接する箇所において密閉空間である外側空間１１４が下側に拡がることとなり、密閉空間が拡げられる当該箇所において気圧低下が生じることとなる。【００７４】
隙間１１１ｃから打ち出された加速水流が勢い良く下流に流れてゆくことによって周回水流膜２００ｃの面している空気が巻き込まれて行くが、図１１（ａ）に示すように、気圧低下が生じている周回水流膜２００ｃの水流が下側に曲げられている箇所において一気に空気が周回水流膜２００ｃに引き込まれ、多量の空気が包含された泡沫水となる。薄い膜状に拡がった状態の周回状の水流膜に対して外面から空気が打ち込まれるため、水流膜中に空気泡が均一に拡散してゆくという効果が得られる。その結果、良質な泡沫水を生成することができる。【００７５】
泡沫水となった水流は下方へ流れて行き、部材１０２５と壁面１０１３との間の隙間から外部へ流れ出し、泡沫水流出部１５０から泡沫水として流れ出て行く。
泡沫水流出部１５０は、周回水流膜２００ｃが部材１０２ｃの壁面１０２２にあたって下方に流れ出た水流を排出する部分であり、この泡沫水流出部１５０から泡沫水が流れ出す。この構成例では、部材１０１ｃの中部筒体１０１３の内壁面と部材１０２ｃの傘状体１０２３との隙間部分と、部材１０２ｃの傘状体１０２３と円板１０２４との間に設けられた孔が泡沫水流出部１５０を形成している。【００７６】
なお、図１１（ａ）に示すように、密閉空間内で生成された泡沫水は部材１０２５と壁面１０１３との隙間である泡沫水流出部１５０から流出していくが、泡沫水流出部１５０全面にわたり泡沫水が占有した状態で流れ出し、外気が泡沫水流出部１５０を介して密閉空間内に入り込まず、密閉空間が直接外気と導通しない状態となっている。このように、泡沫水流出部１５０を介して密閉空間と外気が直接導通しないものとすることにより、泡沫水が密閉空間から流出しつつも密閉空間内内部の気密性を維持することができる。【００７７】
ここで、周回水流膜２００の内側の密閉空間１１３内に導通孔１４１が設けられているため、密閉空間１１３の気圧が下がると、導通孔１４１付近の気圧も下がり、その結果、通気路１４０から導通孔１４１を介して外気が勢い良く密閉空間１１３に吸い込まれることとなる。空気が勢い良く引き込まれると導通孔１４１を通過する空気流の速度が大きいものとなり、導通孔１４１の近隣に形成されている周回水流膜２００に対して内側から空気が打ち込まれることとなる。薄い膜状に拡がった状態の周回状の水流膜に対して内面から空気が打ち込まれるため、水流膜中に空気泡が均一に拡散してゆくという効果が得られる。その結果、良質な泡沫水を生成することができる。【００７８】
従来技術の泡沫水生成の仕組みは、水流で充満されている水流管の壁面に設けられた導通孔から空気が巻き込まれるものが多いが、本発明の泡沫水生成コマ１００は水流が流れて入れも水で満たされずに空気が充満している空気キャビティ１２０が設けられるとともに、その空気キャビティ１２０内に周回水流膜２００が形成され、水の膜により気密性の維持された密閉空間を形成し、その気圧の低下により勢い良く引き込まれる空気を水流膜に打ち込むという新しい発想の技術である。また、空気が充満された空間内に膜状に拡がった水に対して内側から空気を打ち込むので、空気との接触面積が大きい状態で空気が打ち込まれることとなり、空気含有量が大きく品質の良い泡沫水を生成することができる。【００７９】
また、加速水流の速度が速いほど空気キャビティ１２０から吸い込まれて加速水流に打ち込まれる空気の速度も速くなり、より一層空気との混合が促進される。なお、加速水流の側面から内部に打ち込まれた空気は水流中に拡散して均質で微細な空気泡となる。
このように、泡沫水生成手段により、周回水流膜２００の少なくとも一部が泡沫水により形成された泡沫水周回水流膜面となる。【００８０】
周回水流膜密封体１３０ｃを通過した泡沫水は排出孔１５０から流れ出て行くため、周回水流膜密封体１３０ｃによって、加速状態である泡沫水周回水流膜の速度が手洗い用などに適度な速度に弱められて下流側に導かれるという効果（速度調整効果）が得られるとともに、部材１０２ｃの内周壁面１０２２に沿って泡沫水が流れ出すため、手洗い用などに適度な径に拡張されるという効果（水径調整効果）が得られ、吐出する泡沫水の速度と直径が調整される。【００８１】
以上、実施例２の泡沫水生成コマによれば、周回状に連続した円筒状の周回水流膜２００ｃを形成して内側空間を密閉空間１１３とし、水流膜の流れ、空気の巻き込みにより密閉空間１１３の気圧を低下させ、導通孔１４１から周回水流膜２００ｃに対して空気を打ち込み、良質の泡沫水を生成することができる。【００８２】
本発明の技術的範囲を逸脱することなく種々の変更が可能であることは理解されるであろう。従って本発明の技術的範囲は添付された特許請求の範囲の記載によってのみ限定されるものである。
【産業上の利用分野】
【００８３】
本発明の好ましい実施形態を図示して説明してきたが、本発明は、一般用水道蛇口のみならず、実験室用の水道蛇口、プールで目を洗う水洗蛇口、シャワーなど水が出るものであれば、その用途に限定されることなく、節水機能と泡沫機能を適用することができる。
【図１】
2012033127.tif 000003
【図２】
2012033127.tif 000004
【図３】
2012033127.tif 000005
【図４】
2012033127.tif 000006
【図５】
2012033127.tif 000007
【図６】
2012033127.tif 000008
【図７】
2012033127.tif 000009
【図８】
2012033127.tif 000010
【図９】
2012033127.tif 000011
【図１０】
2012033127.tif 000012
【図１１】
2012033127.tif 000013
【図１２】
2012033127.tif 000014
【国際調査報告】
2012033127.tif 000015
2012033127.tif 000016
2012033127.tif 000017
2012033127.tif 000018